(57)【特許請求の範囲】
【請求項１】
供給されるシート状に折り畳まれた筒状のフィルムを開く開口部と、
第１受渡位置において、第１整形杆に受け渡された、前記開口部によって開かれた前記フィルムを、その第１整形杆によって所定形状に整形する整形部と、
前記整形部によって所定形状に整形された前記フィルムを、第２受渡位置において、被嵌挿体における被嵌挿部と略同一形状の第２整形杆が受け取り、嵌挿位置において、そのフィルムを被嵌挿体に嵌挿する嵌挿部とから構成されており、
前記整形部は、前記第１整形杆を前記第１受渡位置と前記第２受渡位置とを通るように循環移動させる第１循環駆動手段と、前記第２受渡位置において、所定形状に整形された前記フィルムを、前記第１整形杆から前記嵌挿部の前記第２整形杆に嵌挿する第１嵌挿手段とを備え、
前記嵌挿部は、前記第２整形杆を前記第２受渡位置と前記嵌挿位置とを通るように、前記第１整形杆とは異なる移動経路を循環移動させる第２循環駆動手段と、前記第２整形杆の移動経路上の直線部分に設定されている前記嵌挿位置において、前記第２整形杆に嵌挿された前記フィルムを、前記第２整形杆から前記被嵌挿体に嵌挿する第２嵌挿手段とを備え、
前記第２受渡位置では、前記第１整形杆及び前記第２整形杆の移動経路が相互に重なり合っており、前記第１整形杆が前記第２整形杆と共に移動しながら、前記第１嵌挿手段によって前記フィルムを前記第２整形杆に嵌挿し、
前記嵌挿位置では、前記第２整形杆が前記被嵌挿体と共に直線状に移動しながら、前記第２嵌挿手段によって前記フィルムを前記被嵌挿体に嵌挿するようにした筒状フィルム嵌挿装置。
【発明の詳細な説明】
【０００１】
【発明の属する技術分野】
この発明は、瓶容器等の被嵌挿体に筒状フィルムを嵌挿する筒状フィルム嵌挿装置、特に、嵌め合い代が小さいタイトな筒状フィルムを高速で確実に被嵌挿体に嵌挿することのできる筒状フィルム嵌挿装置に関する。
【０００２】
【従来の技術】
例えば、キャップシール等の筒状フィルムを瓶容器等の口部分に嵌挿するための筒状フィルム嵌挿装置としては、例えば、実開昭６０−１７７００１号公報に開示されたものがある。図１０に示すように、この筒状フィルム嵌挿装置５０は、供給される長尺帯状の筒状フィルムｆ内に収容され、その筒状フィルムｆの先端部を開口する開口手段５１と、この開口手段５１によって開口された状態で送り出される筒状フィルムｆを、開口手段５１の下方側で所定長さに切断する切断手段５２と、開口手段５１によって適当に開口され、切断手段５２によって所定長さに切断された筒状フィルムｆからなるキャップシールｃｓを瓶容器ｂの口部分に嵌挿するために略円筒状に整形する整形手段５３と、この整形手段５３によって略円筒状に整形されたキャップシールｃｓを瓶容器ｂの口部分に嵌挿する嵌挿手段５４とから構成されている。
【０００３】
前記整形手段５３は、回転軸５３ｂから放射状に張り出すように取り付けられ、回転軸５３ｂの回転に伴って受渡位置α50と嵌挿位置γ50とに停止しながら循環移動する複数の開閉可能な整形杆５３ａを備えており、開口手段５１により適当に開口されたキャップシールｃｓが、受渡位置α50において、閉成状態で停止している整形杆５３ａに嵌挿されることで整形手段５３に受け渡され、キャップシールｃｓが嵌挿された整形杆５３ａが嵌挿位置γ50に移動する間に開成することにより、そのキャップシールｃｓが略円筒状に整形される。
【０００４】
前記嵌挿手段５４は、嵌挿位置γ50において、開成状態で停止している整形杆５３ａの間に挿入されると共にその状態で昇降する押出杆５４ａを有しており、この押出杆５４ａによって、キャップシールｃｓを整形杆５３ａから下方側に押し出すことで、その整形杆５３ａの直下に位置している瓶容器ｂの口部分にキャップシールｃｓが嵌挿される。
【０００５】
また、この種の筒状フィルム嵌挿装置としては、特開昭５５−４８０２８号公報に記載されたものがある。図１１に示すように、この筒状フィルム嵌挿装置６０は、送給ローラ６１によって供給される長尺帯状の筒状フィルムｆを所定長さに切断する切断手段６２と、この切断手段６２によって長尺帯状の筒状フィルムｆを所定長さに切断することで形成されるシート状に折り畳まれた状態のキャップシールｃｓを第１受渡位置α60において受け取り、そのキャップシールｃｓの一面側を周縁部に吸引保持した状態で第２受渡位置β60に搬送する搬送手段６３と、第２受渡位置β60において、搬送手段６３からシート状のキャップシールｃｓを受け取って吸引保持すると共に受け取ったシート状のキャップシールｃｓを開口しながら嵌挿位置γ60に連続的に搬送する円盤状の開口手段６４と、嵌挿位置γ60に開口した状態で搬送されてくるキャップシールｃｓを徐々に下方側に押し下げることによって、嵌挿位置γ60に連続的に送られてくる瓶容器ｂの口部分にキャップシールｃｓを嵌挿する嵌挿手段６５とを備えており、開口手段６４は、図１２（ａ）に示すように、搬送手段６３によって搬送されてきたシート状に折り畳まれた状態のキャップシールｃｓの他面側を、吸引部６４ａによって吸引保持することで搬送手段６３から受け取り、同図（ｂ）に示すように、さらに、吸引部６４ｂによって、キャップシールｃｓの一面側を吸引保持した状態で両吸引部６４ａ、６４ｂを相互に離反させることで、同図（ｃ）に示すように、シート状に折り畳まれたキャップシールｃｓを開口するようになっている。
【０００６】
【発明が解決しようとする課題】
一般的に、シュリンクフィルムによって形成されたキャップシール等の筒状フィルムの内径は、そのキャップシールを装着しようとする容器の口部分の口径（外径）より大径に設定されるが、容器の口部分に対するキャップシール等の筒状フィルムの嵌め合い代（余裕）が大きすぎると、筒状フィルムを熱収縮させる際の熱収縮率が大きくなるので、筒状フィルムに施された文字やデザインが歪み易くなり、美しい仕上りが得られないといった問題がある。このため、特に、シュリンクフィルムによって形成された筒状フィルムの場合は、その嵌め合い代をできるだけ小さく抑えることが望まれている。
【０００７】
ところで、前記筒状フィルム嵌挿装置５０は、上述したように、受渡位置α50及び嵌挿位置β50において、整形手段５３の整形杆５３ａを一旦停止させた状態で、キャップシールｃｓの受け渡しとキャップシールｃｓの瓶容器ｂに対する嵌挿とを行うようにしているため、その嵌挿動作をある程度の時間をかけて確実に行うことができると共に、瓶容器ｂの口部分に対するキャップシールｃｓの嵌め合い代を小さく設定した場合であっても、そのようなタイトなキャップシールｃｓをある程度の確実性をもって瓶容器ｂの口部分に嵌挿することができるが、その反面、キャップシールｃｓの受け渡しや瓶容器ｂへの嵌挿を高速で行うことができないといった問題がある。
【０００８】
一方、前記筒状フィルム嵌挿装置６０は、上述したように、搬送手段６３及び開口手段６４を連続的に回転させながら、第１受渡位置α60、第２受渡位置β60及び嵌挿位置γ60において、キャップシールｃｓの受け渡しや、移動している瓶容器ｂに対するキャップシールｃｓの嵌挿を行うようにしているため、キャップシールｃｓの瓶容器ｂへの嵌挿を高速で行うことができるといった利点があるが、その反面、キャップシールｃｓの瓶容器ｂへの嵌挿に際しては、その嵌挿動作を瞬時に行わなければならないと共に、嵌挿しようとする瓶容器ｂの口部分に対してキャップシールｃｓの嵌め合い代をある程度大きく設定しておかなければ、キャップシールｃｓを瓶容器ｂの口部分に確実に嵌挿することができず、筒状フィルムの嵌め合い代を小さく設定したいという要望を満足させることができないといった問題がある。
【０００９】
そこで、この発明の課題は、瓶容器等の被嵌挿体に対する筒状フィルムの嵌め合い代を小さく設定した場合でも、そういったタイトな筒状フィルムを高速かつ確実に被嵌挿体に嵌挿することのできる筒状フィルム嵌挿装置を提供することにある。
【００１０】
【課題を解決するための手段】
上記の課題を解決するため、この発明は、供給されるシート状に折り畳まれた筒状のフィルムを開く開口部と、第１受渡位置において、第１整形杆に受け渡された、前記開口部によって開かれた前記フィルムを、その第１整形杆によって所定形状に整形する整形部と、前記整形部によって所定形状に整形された前記フィルムを、第２受渡位置において、被嵌挿体における被嵌挿部と略同一形状の第２整形杆が受け取り、嵌挿位置において、そのフィルムを被嵌挿体に嵌挿する嵌挿部とから構成されており、前記整形部は、前記第１整形杆を前記第１受渡位置と前記第２受渡位置とを通るように循環移動させる第１循環駆動手段と、前記第２受渡位置において、所定形状に整形された前記フィルムを、前記第１整形杆から前記嵌挿部の前記第２整形杆に嵌挿する第１嵌挿手段とを備え、前記嵌挿部は、前記第２整形杆を前記第２受渡位置と前記嵌挿位置とを通るように、前記第１整形杆とは異なる移動経路を循環移動させる第２循環駆動手段と、前記第２整形杆の移動経路上の直線部分に設定されている前記嵌挿位置において、前記第２整形杆に嵌挿された前記フィルムを、前記第２整形杆から前記被嵌挿体に嵌挿する第２嵌挿手段とを備え、前記第２受渡位置では、前記第１整形杆及び前記第２整形杆の移動経路が相互に重なり合っており、前記第１整形杆が前記第２整形杆と共に移動しながら、前記第１嵌挿手段によって前記フィルムを前記第２整形杆に嵌挿し、前記嵌挿位置では、前記第２整形杆が前記被嵌挿体と共に直線状に移動しながら、前記第２嵌挿手段によって前記フィルムを前記被嵌挿体に嵌挿するようにした筒状フィルム嵌挿装置を提供するものである。
【００１１】
以上のように構成された筒状フィルム嵌挿装置は、第２受渡位置において、第１整形杆が第２整形杆と共に移動しながら、第１嵌挿手段によってフィルムを第２整形杆に嵌挿し、嵌挿位置においては、第２整形杆が被嵌挿体と共に直線状に移動しながら、第２嵌挿手段によってフィルムを被嵌挿体に嵌挿するようにしたため、フィルムを第２整形杆や被嵌挿体に嵌挿する際に、第１整形杆、第２整形杆及び被嵌挿体をその都度停止させなくても、ある程度の時間をかけながらゆっくりとフィルムを第２整形杆や被嵌挿体に嵌挿することができる。
【００１２】
また、開口部によって開口されたフィルムを、第１整形杆によって所定形状に整形した後、被嵌挿体における被嵌挿部と略同一形状の第２整形杆に嵌挿することにより段階的に整形し、最終的に被嵌挿体の形状に最も近づけた状態で、フィルムを非嵌挿体に嵌挿するようにしたため、フィルムの嵌め合い代を極力小さく設定した場合でも、そのようなタイトなフィルムの被嵌挿体への嵌挿作業を円滑に行うことができる。
【００１３】
【発明の実施の形態】
以下、実施の形態について図面を参照して説明する。図１に示すように、この筒状フィルム嵌挿装置１は、瓶容器Ｐの口部分にシュリンクフィルムによって形成されたキャップシールＳを嵌挿するためのものであり、長尺帯状のキャップシール形成基材（以下、基材という。）ｆからキャップシールＳを形成する形成部１０と、この形成部１０によって形成されたキャップシールＳをある程度開口した状態で第１受渡位置αに供給する開口部２０と、この開口部２０によってある程度開口されたキャップシールＳを第１受渡位置αにおいて受け取った後、これを略円筒状に整形した状態で第２受渡位置βに供給する整形部３０と、この整形部３０によって略円筒状に整形されたキャップシールＳを第２受渡位置βにおいて受け取った後、これを瓶容器Ｐの口部分と略同一形状に整形した後、嵌挿位置γにおいて、このキャップシールＳを瓶容器Ｐの口部分に嵌挿する嵌挿部４０とから構成されている。
【００１４】
前記形成部１０は、図１に示すように、基材ロール（図示せず）から繰り出された長尺帯状に折り畳まれたシュリンクフィルムからなる筒状の基材ｆに、一定間隔毎にミシン目を形成するミシン目形成手段１１と、このミシン目形成手段１１によってミシン目を形成することにより、貼り付いたような状態となった筒状の基材ｆの内面を相互に引き離すために基材ｆ内に収容された剥離板１２と、ミシン目が形成された基材ｆを連続的に送り出す送給ローラ１３と、この送給ローラ１３によって連続的に送り出される、ミシン目が形成された基材ｆを所定位置で所定長さに順次切断することによりキャップシールＳを形成する、回転刃１４ａ及び固定刃１４ｂからなる切断手段１４とから構成されており、この形成部１０によって形成された筒状のキャップシールＳはシート状に折り畳まれた状態で開口部２０に供給される。
【００１５】
前記ミシン目形成手段１１は、長尺帯状の基材ｆを挟み込む一対のローラ１１ａ、１１ｂと、一方のローラ１１ａの外周面から突出するように、そのローラ１１ａの幅方向に取り付けられたミシン目形成刃（図示せず）とから構成されており、このミシン目形成刃が取り付けられたローラ１１ａが回転することで、両ローラに挟み込まれた状態で連続的に送り出される長尺帯状の基材ｆに一定間隔でミシン目を形成することができるようになっている。
【００１６】
前記開口部２０は、図１に示すように、形成部１０によって形成されたキャップシールＳを搬送する搬送手段２１と、この搬送手段２１によって搬送されてきた、シート状に折り畳まれた状態のキャップシールＳを開口する開口手段２４とから構成されており、前記開口手段２４によって開口されたキャップシールＳは、第１受渡位置αにおいて、前記整形部３０に受け渡される。
【００１７】
前記搬送手段２１は、形成部１０において形成されたキャップシールＳの両側にそれぞれ設けられた駆動ローラ２２ａ及びガイドローラ２２ｂに無端状の搬送ベルト２３がそれぞれ掛け渡されたものであり、シート状に折り畳まれた状態で形成部１０から供給されるキャップシールＳが左右の搬送ベルト２３に挟み込まれた状態で、その下方に設置されている開口手段２４に搬送される。
【００１８】
前記開口手段２４は、前記駆動ローラ２２ａ及び複数のガイドローラ２５ａに掛け渡された無端状の搬送ベルト２６と、この搬送ベルト２６にキャップシールＳを吸引保持させる吸引機構２７とから構成されており、前記搬送ベルト２６には、その幅方向の中央部に長手方向に沿って所定間隔毎に多数の吸引孔（図示せず）が形成されていると共に、テンションローラ２５ｂによって、所定の張力が常時付与されている。
【００１９】
前記吸引機構２７は、各搬送ベルト２６に沿ってそれぞれ配置された左右一対の吸引ボックス２８、２９と、この左右一対の吸引ボックス２８、２９にそれぞれ形成された接続口２８ａ、２９ａに図示しないチューブ等を介して接続される真空ポンプ等の図示しない吸引装置とから構成されており、各吸引ボックス２８、２９の搬送ベルト２６との接触面には吸引口（図示せず）が開放されている。
【００２０】
左右の吸引ボックス２８は、搬送ベルト２６を介して、キャップシールＳを挟み込むように相互に近接した状態で設置されているが、左右の吸引ボックス２９は、その下方側が相互に離反した状態になっており、それに伴って、搬送ベルト２６も、吸引ボックス２９の下方部分において相互に離反した状態となっている。
【００２１】
従って、前記搬送手段２１によって搬送されてきたシート状に折り畳まれた状態のキャップシールＳは、まず、吸引ボックス２８部分において、搬送ベルト２６に挟み込まれることで、その左右両面が左右の搬送ベルト２６にそれぞれ吸引保持された状態で下方側に搬送される。そして、吸引ボックス２９部分において、搬送ベルト２６が徐々に離反することによって、搬送ベルト２６に吸引保持されたキャップシールＳが徐々に開口しながら第１受渡位置αに到達する。
【００２２】
前記整形部３０は、図１ないし図４に示すように、前記開口部２０によって開口された状態で搬送されてきたキャップシールＳを、第１受渡位置αにおいて受け取り、このキャップシールＳを略円筒状に整形する第１整形手段３１と、この第１整形手段３１を、第１受渡位置αと第２受渡位置βとを通るように、循環移動させる第１循環駆動手段３６と、前記第１整形手段３１によって略円筒状に整形されたキャップシールＳを、第２受渡位置βにおいて、後述する嵌挿部４０の第２整形杆４１に受け渡す第１嵌挿手段３７とから構成されている。
【００２３】
前記第１整形手段３１は、基台３２に支持された開閉可能な第１整形杆３３と、この第１整形杆３３を開閉させる開閉機構３４とを備えており、前記第１整形杆３３は、図４（ａ）、（ｂ）に示すように、基台３２に固定設置された固定杆３３ａと、この固定杆３３ａに先端部が接近離反するように、基台３２に回動軸３２ａを介して回動可能に支持された可動杆３３ｂとから構成されている。
【００２４】
前記開閉機構３４は、図３及び図４に示すように、前記可動杆３３ｂが固定されている回動軸３２ａに取り付けられたレバー３４ａと、可動杆３３ｂが固定杆３３ａに接近する方向にレバー３４ａを付勢するコイルばね３４ｂと、レバー３４ａを操作することで可動杆３３ｂを固定杆３３ａに対して接近離反させるカム機構３５とから構成されており、このカム機構３５は、図３に示すように、レバー３４ａの先端に取り付けられたカムフォロア３５ａと、第１整形手段３１の移動経路の外側に配設された、カムフォロア３５ａを下方側に押さえつけるカム面３５ｃを有するカム部材３５ｂとから構成されている。
【００２５】
前記カム部材３５ｂのカム面３５ｃは、第１整形手段３１が第１受渡位置αから第２受渡位置βに移動する間に可動杆３３ｂを固定杆３３ａに対して離反させ、第１整形手段３１が第２受渡位置αから第１受渡位置βに移動する間に可動杆３３ｂを固定杆３３ａに対して接近させるように設定されており、第１整形杆３３は、第１受渡位置αでは閉成状態、第２受渡位置βでは開成状態になっている。
【００２６】
従って、第１整形手段３１が第１受渡位置αに到達したときには、図１に示すように、閉成状態にある第１整形杆３３が開口部２０の左右の吸引ボックス２９の間に入り込み、この第１整形杆３３に開口部２０から開口されたキャップシールＳが嵌挿される。そして、第１整形手段３１が第１受渡位置αから第２受渡位置βに移動する間に第１整形杆３３が開成することで、第１整形杆３３に嵌挿されたキャップシールＳが略円筒状に整形される。
【００２７】
前記第１循環駆動手段３６は、図３及び図４に示すように、スプロケット（図示せず）によって循環駆動される上下一対の無端チェーン３６ａと、上下一対の無端チェーン３６ａに一定間隔毎に２本づつ支持されている多数組の垂直ロッド３６ｂとから構成されており、各組の２本の垂直ロッド３６ｂには、第１整形杆３３が第１受渡位置αと第２受渡位置βとを通るように、前記基台３２がそれぞれ支持されている。従って、前記スプロケットによって上下の無端チェーン３６ａが駆動されると、２本の垂直ロッド３６ｂを介して無端チェーン３６ａに支持されている第１整形手段３１の第１整形杆３３が第１受渡位置αと第２受渡位置βとを通るように循環移動する。
【００２８】
なお、無端チェーン３６ａは、図３に示すように、水平方向に位置決めするガイド部材３６ｃと垂直方向に支持する支持ローラ３６ｄとによって、所定の経路を円滑に移動することができるようになっている。
【００２９】
前記第１嵌挿手段３７は、図３及び図４に示すように、前記垂直ロッド３６ｂにスライド自在に支持された基台部３７ａと、この基台部３７ａに支持された押出部材３８と、この押出部材３８を垂直ロッド３６ｂに沿って昇降させるカム機構３９とから構成されており、前記押出部材３８は、図４（ａ）、（ｂ）に示すように、基台部３７ａに固定された枠状の本体部３８ａと、この本体部３８ａの上部に取り付けられ、前記第１整形杆３３の固定杆３３ａと可動杆３３ｂとの間に入り込むように張り出した押出杆３８ｂとから構成されている。なお、基台部３７ａには、前記第１整形手段３１の基台３２の下部がスライド自在に貫通した状態となっている。
【００３０】
前記カム機構３９は、図３に示すように、基台部３７ａに取り付けられたローラ３９ａと、第１整形手段３１の移動経路の内側に配設された、ローラ３９ａが嵌り込むカム溝３９ｃを有するカム部材３９ｂとから構成されており、このカム部材３９ｂのカム溝３９ｃは、第２受渡位置βにおいて、基台部３７ａを上方に押し上げることで、その基台部３７ａに取り付けられた押出杆３８ｂを、開成状態にある第１整形杆３３の基端部から先端部まで上昇させるように設定されている。
【００３１】
従って、図３に示すように、押出杆３８ｂが第１整形杆３３の基端部に位置している状態の第１受渡位置αにおいて、第１整形杆３３に嵌挿されたキャップシールＳが第２受渡位置βに到達するまでの間に略円筒状に整形され、第２受渡位置βでは、上昇する押出杆３８ｂによって、略円筒状に形成されたキャップシールＳが第１整形杆３３の上方側に押し出される。
【００３２】
前記嵌挿部４０は、図１、図２、図５及び図６に示すように、第２受渡位置βにおいて、第１嵌挿手段３７によって第１整形杆３３から押し出された略円筒状のキャップシールＳを受け取り、このキャップシールＳを瓶容器Ｐの口部分と略同一形状に整形する第２整形杆４１と、この第２整形杆４１を、第２受渡位置βと嵌挿位置γとを通るように、循環移動させる第２循環駆動手段４２と、嵌挿位置γにおいて第２整形杆４１を昇降させる昇降機構４３と、第２整形杆４１によって瓶容器Ｐの口部分と略同一形状に整形されたキャップシールＳを、嵌挿位置γにおいて、ベルトコンベア２ａ及びスクリューコンベア２ｂによって一定間隔を開けて連続的に送られてくる瓶容器Ｐの口部分に順次嵌挿する第２嵌挿手段４４とから構成されている。
【００３３】
前記第２受渡位置β及び嵌挿位置γは、図７に示すように、第２整形杆４１の移動経路上に形成されたある程度の長さを有する直線部分にそれぞれ設定されており、第２受渡位置βでは、第１整形杆３３と第２整形杆４１とが共に直線状に移動しながら、キャップシールＳの受け渡しを行い、嵌挿位置γでは、第２整形杆４１が瓶容器Ｐと共に直線状に移動しながら、キャップシールＳを瓶容器Ｐの口部分へ嵌挿するようになっている。
【００３４】
前記第２整形杆４１は、図６（ａ）、（ｃ）に示すように、下端部が先細のテーパ状に形成された、キャップシールＳを嵌挿しようとする瓶容器Ｐの口部分の最大外径より僅かに大きな外径を有する円柱状であり、この第２整形杆４１は、後述する第２嵌挿手段４４の押出部材４６にスライド自在に支持されている。
【００３５】
前記第２循環駆動手段４２は、図示しないスプロケットによって循環駆動される上下一対の無端チェーン４２ａと、上下一対の無端チェーン４２ａに一定間隔毎に２本づつ支持されている多数組の垂直ロッド４２ｂとから構成されており、各組の２本の垂直ロッド４２ｂには、第２整形杆４１が第２受渡位置βと嵌挿位置γとを通るように、後述する第２嵌挿手段４４の基台４５がそれぞれ支持されている。従って、前記スプロケットによって上下の無端チェーン４２ａが駆動されると、２本の垂直ロッド４２ｂ及び第２嵌挿手段４４を介して無端チェーン４２ａに支持されている第２整形杆４１が第２受渡位置βと嵌挿位置γとを通るように循環移動する。
【００３６】
なお、無端チェーン４２ａは、図５に示すように、水平方向に位置決めするガイド部材４２ｃと垂直方向に支持する支持ローラ４２ｄとによって、所定の経路を円滑に移動することができるようになっている。
【００３７】
前記昇降機構４３は、図５及び図６（ａ）、（ｂ）に示すように、前記第２整形杆４１の移動経路の直上に配設されたカム面４３ｂを有するカム部材４３ａと、このカム部材４３ａのカム面４３ｂ上を転動するローラ４３ｃと、このローラ４３ｃを第２整形杆４１の上端部に支持する支持部材４３ｄとから構成されており、第２整形杆４１はローラ４３ｃ及び支持部材４３ｄによって、カム部材４３ａに吊り下げられた状態となっている。
【００３８】
前記カム部材４３ａのカム面４３ｂは、図５に二点鎖線で示すように、第２受渡位置β及び嵌挿位置γにおいて、第２整形杆４１が僅かに降下して第１整形杆３３及び瓶容器Ｐの上端部に近接するように設定されており、第２整形杆４１が降下していく領域には、図８及び図９に示すように、カム部材４３ａのカム面４３ｂとの間にローラ４３ｃを挟み込んで第２整形杆４１の浮き上がりを防止するためのガイド板４３ｅが設けられている。
【００３９】
前記第２嵌挿手段４４は、図５及び図６に示すように、前記垂直ロッド４２ｂにスライド自在に支持された基台４５と、この基台４５に支持された筒状の押出部材４６と、基台４５を垂直ロッド４２ｂに沿って昇降させるカム機構４７とから構成されており、前記押出部材４６の内周面には、図６（ｃ）に示すように、スライド自在に挿入される第２整形杆４１の周面に形成された溝４１ａに嵌り込む、第２整形杆４１に嵌挿されたキャップシールＳを押し出すための押出突起４６ａが設けられている。
【００４０】
前記カム機構４７は、図５に示すように、基台４５に取り付けられたローラ４７ａと、無端チェーン４２ａの内側に配設された、ローラ４７ａが嵌り込むカム溝４７ｃを有するカム部材４７ｂとから構成されており、このカム部材４７ｂのカム溝４７ｃは、図５に二点鎖線で示すように、嵌挿位置γにおいて、基台４５を下方に押し下げることにより、その基台４５に取り付けられた押出部材４６を降下させ、この押出部材４６によって、第２整形杆４１に嵌挿されたキャップシールＳを下方に押し出すように設定されている。
【００４１】
以上のように構成された筒状フィルム嵌挿装置１では、まず、図１に示すように、形成部１０によって形成された、シート状に折り畳まれた状態のキャップシールＳが開口部２０によってある程度開口され、この開口されたキャップシールＳが、第１受渡位置αにおいて、第１整形杆３３に嵌挿されることで整形部３０に受け渡されるが、キャップシールＳの整形部３０への受け渡しから瓶容器Ｐの口部分への嵌挿に至るまでの整形部３０及び嵌挿部４０の動作について、図７ないし図９に基づいて詳しく説明する。なお、図８及び図９の（ａ）〜（ｑ）は、図７における位置ａ〜ｑの状態をそれぞれ示している。
【００４２】
まず、第１整形杆３３は、第１受渡位置αの手前においては可動杆３３ｂが固定杆３３ａに対して離反している状態、即ち、開成状態になっているが（図８（ａ）参照）、第１整形杆３３が第１受渡位置αに到達する直前において、カム部材３５ｂのカム面３５ｃによって押し下げられていたカムフォロア３５ａが上方側に持ち上がることでレバー３４ａが上方側に回動し、可動杆３３ｂが固定杆３３ａに接近して閉成状態となり、第１受渡位置αでは、閉成状態である第１整形杆３３にキャップシールＳが嵌挿される（同図（ｂ）参照）。
【００４３】
キャップシールＳが嵌挿された閉成状態の第１整形杆３３は（同図（ｃ）参照）、第２受渡位置βまで移動する間に、カム部材３５ｂのカム面３５ｃによってカムフォロア３５ａが下方側に再び押し下げられることでレバー３４ａが下方側に回動し、可動杆３３ｂが固定杆３３ａから離反して再び開成状態となり、閉成状態の第１整形杆３３に嵌挿されていたキャップシールＳが、第１整形杆３３の開成動作によって略円筒状に整形される（同図（ｄ）参照）。
【００４４】
キャップシールＳを開成動作によって略円筒状に整形した第１整形杆３３は（同図（ｅ）参照）、第１整形杆３３及び第２整形杆４１の移動経路が相互に重なり合う直線部分に設定された、所定の長さを有する第２受渡位置βに到達し（同図（ｆ）参照）、同様に、この第２受渡位置βに到達した第２整形杆４１と共に第２受渡位置βを移動しながらキャップシールＳの受け渡しを行う（同図（ｆ）〜（ｊ）参照）。
【００４５】
第２受渡位置βでは、第１嵌挿手段３７のローラ３９ａがカム部材３９ｂのカム溝３９ｃに沿って上方へ持ち上げられることにより、押出杆３８ｂが、移動している第１整形杆３３に嵌挿されているキャップシールＳを上方に押し上げ、キャップシールＳが第２整形杆４１に嵌挿される（同図（ｇ）〜（ｊ）参照）。
【００４６】
このとき、昇降機構４３のローラ４３ｃがカム部材４３ａのカム面４３ｂ及びガイド板４３ｅによって、僅かに下方側に押し下げられることに伴い、第２整形杆４１が僅かに降下して第１整形杆３３に近接した状態で、キャップシールＳが第１整形杆３３から第２整形杆４１へ受け渡される（同図（ｇ）、（ｈ）参照）。従って、キャップシールＳが第１整形杆３３から押し出されると、直ちに第２整形杆４１に嵌挿されることになるので、第１整形杆３３から押し出す際に一旦整形されたキャップシールＳの形状が崩れることに帰因した嵌挿不良を有効に防止することができる。
【００４７】
このようにして第２整形杆４１に受け渡されたキャップシールＳは、第２整形杆４１に嵌挿されることで、瓶容器Ｐの口部分の最大外径より僅かに大きな内径を有する円筒状に整形される。なお、キャップシールＳを第２整形杆４１に受け渡した第１整形杆３３は、再び図７に示す位置ａに戻るが、その間に図８（ａ）に示す状態に復帰するようになっている。
【００４８】
キャップシールＳを円筒状に整形した第２整形杆４１は（同図（ｊ）参照）、第２受渡位置βと平行な直線部分に設定された、所定の長さを有する嵌挿位置γまで移動し（図９（ｋ）参照）、同様に、この嵌挿位置γに順次送られてくる瓶容器Ｐと共に嵌挿位置γを移動しながら、キャップシールＳの瓶容器Ｐへの嵌挿が行われる（同図（ｋ）〜（ｑ）参照）。
【００４９】
嵌挿位置γでは、第２嵌挿手段４４のローラ４７ａがカム部材４７ｂのカム溝４７ｃに沿って下方へ押し下げられることにより、押出部材４６が第２整形杆４１に嵌挿されているキャップシールＳを下方に押し下げ、キャップシールＳが第２整形杆４１の直下に位置している瓶容器Ｐの口部分に嵌挿される（同図（ｌ）〜（ｐ）参照）。
【００５０】
このとき、昇降機構４３のローラ４３ｃがカム部材４３ａのカム面４３ｂ及びガイド板４３ｅによって、僅かに下方側に押し下げられることに伴い、第２整形杆４１が僅かに降下して瓶容器Ｐの口部分に近接した状態で、キャップシールＳが第２整形杆４１から瓶容器Ｐの口部分に嵌挿される（同図（ｌ）〜（ｐ）参照）。従って、キャップシールＳが第２整形杆４１から押し出されると、直ちに瓶容器Ｐの口部分に嵌挿されることになるので、第２整形杆４１から押し出す際に一旦整形されたキャップシールＳの形状が崩れることに基づく嵌挿不良を有効に防止することができる。
【００５１】
なお、キャップシールＳを瓶容器Ｐの口部分に嵌挿した第２整形杆４１は、再び図７に示す位置ｆに戻るが、その間に図８（ｆ）に示す状態に復帰するようになっている。
【００５２】
以上のように構成された筒状フィルム嵌挿装置１は、第２整形杆４１の移動経路上に設定された第２受渡位置βや嵌挿位置γにおけるキャップシールＳの受渡作業や嵌挿作業を、第２受渡位置βにおいて、第１整形杆３３と第２整形杆４１とを共に移動させながら、また、嵌挿位置γにおいては、第２整形杆４１と瓶容器Ｐとを共に移動させながら行うと共に、開口部２０において開口されたキャップシールＳを、第１整形杆３３によって略円筒状に整形した後、第２整形杆４１によって瓶容器Ｐの口部分の最大外径より僅かに大きな内径を有する円筒状に整形し、これを瓶容器Ｐの口部分に嵌挿するようにしたため、第１整形杆３３、第２整形杆４１及び瓶容器Ｐをその都度停止させなくても、キャップシールＳをある程度の時間をかけながらゆっくりと第２整形杆４１や瓶容器Ｐに嵌挿することができ、瓶容器Ｐに対するキャップシールＳの嵌め合い代を小さく設定した場合でも、そのようなタイトなキャップシールＳを高速かつ確実に瓶容器Ｐの口部分に嵌挿することができる。
【００５３】
また、キャップシールＳを瓶容器Ｐに嵌挿する嵌挿位置γを、第２整形杆４１の移動経路上の直線部分に設定したため、この筒状フィルム嵌挿装置１をキャップシールＳの嵌挿を行っていない既存の製造ラインに簡単に組み込むことができるという利点があると共に、キャップシールＳを瓶容器Ｐに嵌挿するために、瓶容器Ｐを案内するための種々のガイド部材を設ける必要がなく、瓶容器Ｐに装着されたラベル等が案内するためのガイド部材によって傷つけられにくいという利点もある。
【００５４】
なお、この実施形態では、キャップシールＳを瓶容器Ｐの口部分に嵌挿する場合について説明したが、対象となる筒状フィルムとしては、上述したようなキャップシールに限定されるものではなく、例えば、筒状のシュリンクラベル等について適用することもでき、被嵌挿体についても、上述したような瓶容器に限定されるものではない。
【００５５】
【発明の効果】
以上のように、この発明の筒状フィルム嵌挿装置は、開口部によって開かれた筒状のフィルムを、第１整形杆によって所定形状に整形した後、第１整形杆と第２整形杆とを共に移動させながら、被嵌挿体における被嵌挿部と略同一形状の第２整形杆に嵌挿し、この第２整形杆によってフィルムを被嵌挿体の形状に最も近づけた状態で、第２整形杆と被嵌挿体とを共に直線状に移動させながら 、被嵌挿体に嵌挿するようにしたため、第１整形杆、第２整形杆及び被嵌挿体をその都度停止させなくても、フィルムをある程度の時間をかけながらゆっくりと第２整形杆や被嵌挿体に嵌挿することができ、被嵌挿体に対するフィルムの嵌め合い代を小さく設定した場合でも、そのようなタイトなフィルムを高速かつ確実に被嵌挿体に嵌挿することができる。
【図面の簡単な説明】
【図１】この発明にかかる筒状フィルム嵌挿装置の一実施形態を示す概略正面図である。
【図２】同上の筒状フィルム嵌挿装置の整形部及び嵌挿部を示す概略平面図である。
【図３】同上の整形部の詳細を示す正面図である。
【図４】（ａ）は同上の整形部を示す部分側面図、（ｂ）は同上の整形部を示す部分平面図である。
【図５】同上の嵌挿部の詳細を示す正面図である。
【図６】（ａ）は同上の嵌挿部を示す部分側面図、（ｂ）は同上の嵌挿部を示す部分平面図、（ｃ）は（ａ）のＸ−Ｘ線に沿った断面図である。
【図７】同上の筒状フィルム嵌挿装置の第１受渡位置、第２受渡位置及び嵌挿位置におけるフィルムの受渡動作及び嵌挿動作を示す動作説明図である。
【図８】同上の筒状フィルム嵌挿装置の第１受渡位置及び第２受渡位置におけるフィルムの受渡動作を示す動作説明図である。
【図９】同上の筒状フィルム嵌挿装置の嵌挿位置におけるフィルムの嵌挿動作を示す動作説明図である。
【図１０】従来技術を示す斜視図である。
【図１１】他の従来技術を示す概略構成図である。
【図１２】同上の動作説明図である。
【符号の説明】
１  筒状フィルム嵌挿装置
１０  形成部
２０  開口部
３０  整形部
３１  第１整形手段
３３  第１整形杆
３６  第１循環駆動手段
３７  第１嵌挿手段
４０  嵌挿部
４１  第２整形杆
４２  第２循環駆動手段４２
４３  昇降機構
４４  第２嵌挿手段
Ｓ  キャップシール
Ｐ  瓶容器
α  第１受渡位置
β  第２受渡位置
γ  嵌挿位置
【図１】
0003653174.tif 000002
【図２】
0003653174.tif 000003
【図３】
0003653174.tif 000004
【図４】
0003653174.tif 000005
【図５】
0003653174.tif 000006
【図６】
0003653174.tif 000007
【図７】
0003653174.tif 000008
【図８】
0003653174.tif 000009
【図９】
0003653174.tif 000010
【図１０】
0003653174.tif 000011
【図１１】
0003653174.tif 000012
【図１２】
0003653174.tif 000013